(57)【特許請求の範囲】
【請求項１】
食器類の着脱口が形成された側部と前記食器類からの水滴を受け止める水受け底部とを有するホルダ本体と、
前記側部のうちの第１側部に設けられて水切りかごに係脱可能な第１係合部と、
前記第１側部から外側に向かって突設されていて、前記第１係合部を前記水切りかごに係合させて前記ホルダ本体を前記水切りかごの外側に取り付けた際に前記水切りかごの一部を貫通して前記水受け底部からの水を前記水切りかごの内側に排出する排水部と、を備え、
前記ホルダ本体は、
前記第１側部のうちの上側を構成する上第１側部、前記上第１側部に対向する上第２側部、前記着脱口、及び前記第１係合部を有する上ホルダ部と、
前記第１側部のうちの下側を構成する下第１側部、前記下第１側部に対向する下第２側部、及び前記水受け底部を有し、前記上ホルダ部の下端部に着脱可能な下ホルダ部と、を備え、
前記下ホルダ部は、
前記下第１側部及び前記下第２側部をそれぞれ前記上ホルダ部の前記上第１側部及び前記上第２側部に合わせた第１パターンと、
前記下第１側部及び前記下第２側部をそれぞれ前記上ホルダ部の前記上第２側部及び前記上第１側部に合わせた第２パターンと、を構成する、
ことを特徴とするホルダ。
【請求項２】
前記上ホルダ部は、水切り孔が形成されるとともに前記食器類を支持する水切り底部を有する、
ことを特徴とする請求項１に記載のホルダ。
【請求項３】
食器類の着脱口が形成された側部と前記食器類からの水滴を受け止める水受け底部とを有するホルダ本体と、
前記側部のうちの第１側部に設けられて水切りかごに係脱可能な第１係合部と、
前記第１側部から外側に向かって突設されていて、前記第１係合部を前記水切りかごに係合させて前記ホルダ本体を前記水切りかごの外側に取り付けた際に前記水切りかごの一部を貫通して前記水受け底部からの水を前記水切りかごの内側に排出する排水部と、を備え、
前記ホルダ本体は、
前記側部のうちの前記第１側部に対向する第２側部を有し、
前記第２側部には、前記水切りかごに係脱可能な第２係合部が設けられている、
ことを特徴とするホルダ。
【発明の詳細な説明】
【技術分野】
【０００１】
本発明は、水受けトレイの上方に配設されて食器類の水を切る水切りかごに取り付けられて使用されるホルダに関する。
【背景技術】
【０００２】
食事等で使用された食器類は、一般に、流し台のシンクで洗浄した後、水切りかごにセットする。水切りかごの下には、水受けトレイが配置されている。食器類から落ちた水滴は、水受けトレイに一旦溜めてまとめてシンクに捨てる、あるいは、水受けトレイから直接、シンクに排出する。
【０００３】
特許文献１，２には、水切りかご、水受けトレイの外に、スプーン、フォーク、箸等の小物の水を切るためのホルダ（特許文献１では「小物入れ」、また、特許文献２では「箸立て容器」）が開示されている。
【０００４】
これらホルダは、水切りかごの側部に引っ掛けて使用するものであり、水切りかごの内側と外側のいずれにも取り付けられるようになっている。水切りかごの内側にセットされる皿、茶碗等の食器類の量が多い場合には、これらのホルダは、水切りかごの外側に取り付けて、水切りかごの内側の容量（収容量）を多くするようにしている。
【先行技術文献】
【特許文献】
【０００５】
【特許文献１】特開２００１−２９９６７３号公報
【特許文献２】実開昭６１−１０６１７６号公報
【発明の概要】
【発明が解決しようとする課題】
【０００６】
しかしながら、特許文献１のホルダ（小物入れ）は、水切りかごの外側に取り付けた場合には、水受板の先端が水切りかごの側面に干渉するため、水滴を円滑に水受けトレイに導くことができない。
【０００７】
一方、特許文献２のホルダ（箸立て容器）は、ホルダ内の水滴を底部から下方に排出している。このため、水切りかごの外側に取り付けられた場合には、底部から排出された水は、水受けトレイで受け止めることができず、そのまま流し台の上面に落下してしまう。
【０００８】
本発明は、上述した事情に鑑みてなされたものであり、水切りかごの外側に取り付けた場合でも、食器類から落ちた水滴を水切りかごの内側（水受けトレイ上）に円滑に排出することができるホルダを提供することを目的とする。
【課題を解決するための手段】
【０００９】
請求項１に係る発明は、ホルダにおいて、食器類の着脱口が形成された側部と前記食器類からの水滴を受け止める水受け底部とを有するホルダ本体と、前記側部のうちの第１側部に設けられて水切りかごに係脱可能な第１係合部と、前記第１側部から外側に向かって突設されていて、前記第１係合部を前記水切りかごに係合させて前記ホルダ本体を前記水切りかごの外側に取り付けた際に前記水切りかごの一部を貫通して前記水受け底部からの水を前記水切りかごの内側に排出する排水部と、を備え、前記ホルダ本体は、前記第１側部のうちの上側を構成する上第１側部、前記上第１側部に対向する上第２側部、前記着脱口、及び前記第１係合部を有する上ホルダ部と、前記第１側部のうちの下側を構成する下第１側部、前記下第１側部に対向する下第２側部、及び前記水受け底部を有し、前記上ホルダ部の下端部に着脱可能な下ホルダ部と、を備え、前記下ホルダ部は、前記下第１側部及び前記下第２側部をそれぞれ前記上ホルダ部の前記上第１側部及び前記上第２側部に合わせた第１パターンと、前記下第１側部及び前記下第２側部をそれぞれ前記上ホルダ部の前記上第２側部及び前記上第１側部に合わせた第２パターンと、を構成する、ことを特徴とする。
【００１１】
請求項２に係る発明は、請求項１に係るホルダにおいて、前記上ホルダ部は、水切り孔
が形成されるとともに前記食器類を支持する水切り底部を有する、ことを特徴とする。
【００１２】
請求項３に係る発明は、ホルダにおいて、食器類の着脱口が形成された側部と前記食器類からの水滴を受け止める水受け底部とを有するホルダ本体と、前記側部のうちの第１側部に設けられて水切りかごに係脱可能な第１係合部と、前記第１側部から外側に向かって突設されていて、前記第１係合部を前記水切りかごに係合させて前記ホルダ本体を前記水切りかごの外側に取り付けた際に前記水切りかごの一部を貫通して前記水受け底部からの水を前記水切りかごの内側に排出する排水部と、を備え、前記ホルダ本体は、前記側部のうちの前記第１側部に対向する第２側部を有し、前記第２側部には、前記水切りかごに係脱可能な第２係合部が設けられている、ことを特徴とする。
【発明の効果】
【００１３】
請求項１の発明によれば、ホルダは、第１係合部を水切りかごに係合させて水切りかごの外側に取り付けられた際に、排水部が水切りかごの一部を貫通して、水受け底部からの水を水切りかごの内側に排出することができる。このため、例えば、水切りかごの下に水受けトレイを配置しておけば、ホルダから排出される水を、水受けトレイ上に排出することができる。つまり、ホルダは、水切りかごの外側に取り付けられた場合であっても、水切りかごの内側に水を排出することができる。
また、ホルダは、上ホルダ部とこれに着脱可能な下ホルダ部とに分割されているので、第１パターンを構成して水切りかごの外側に取り付けることにより、水切りかごの内側への排水（例えば、水受けトレイへの排水）が可能となり、また、第２パターンを構成して水切りかごの外側に取り付けることにより、水切りかごの外側への排水（例えば、シンクへの直接の排水）が可能となる。
【００１５】
請求項２の発明によれば、ホルダは、上ホルダ部の水切り底部が食器類の自重を受け止めるため、食器類の自重が下ホルダ部の水受け底部にかかることに起因する下ホルダ部の脱落を防止することができる。また、上ホルダ部の水切り底部に溜まった水は、水切り孔を介して下ホルダ部の水受け底部に導くことができる。
【００１６】
請求項３の発明によれば、ホルダは、第１係合部を水切りかごに係合させて水切りかごの外側に取り付けられた際に、排水部が水切りかごの一部を貫通して、水受け底部からの水を水切りかごの内側に排出することができる。このため、例えば、水切りかごの下に水受けトレイを配置しておけば、ホルダから排出される水を、水受けトレイ上に排出することができる。つまり、ホルダは、水切りかごの外側に取り付けられた場合であっても、水切りかごの内側に水を排出することができる。
また、ホルダ本体が上ホルダ部と下ホルダ部とに分割されない、一体的な簡単な構成でありながら、水切りかごの側部に、第１係合部を係合させてホルダ本体を水切りかごの外側に取り付けることで水切りかごの内側に排出し、また、第２係合部を係合させてホルダ本体を水切りかごの外側に取り付けることで水切りかごの外側に排出することができる。
【図面の簡単な説明】
【００１７】
【図１】図１〜図６は実施形態１のホルダ１を説明する図であり、図１はホルダ１を前側左斜め上方から見た斜視図である。
【図２】（Ａ）〜（Ｄ）はホルダ１を説明する図であり、（Ａ）は正面図、（Ｂ）は平面図、（Ｃ）は底面図、（Ｄ）は（Ａ）中のＡ−Ａ線矢視図である。
【図３】（Ａ）〜（Ｄ）は上ホルダ部１０を説明する図であり、（Ａ）は正面図、（Ｂ）は平面図、（Ｃ）は底面図、（Ｄ）は（Ａ）中のＢ−Ｂ線矢視図である。
【図４】（Ａ）〜（Ｄ）は下ホルダ部２０を説明する図であり、（Ａ）は正面図、（Ｂ）は平面図、（Ｃ）は右側面図、（Ｄ）は（Ａ）中のＣ−Ｃ線矢視図である。
【図５】ホルダ１の使用例を説明する斜視図である。
【図６】（Ａ）〜（Ｄ）はホルダ１の使用態様を模式的に説明する図であり、（Ａ）は第１パターンＰ１のホルダ１を水切りかご５０の外側に取り付けた態様を示し、（Ｂ）は第２パターンＰ２のホルダ１を水切りかご５０の外側に取り付けた態様を示し、（Ｃ）は第２パターンＰ２のホルダ１を水切りかご５０の内側に取り付けた態様を示し、（Ｄ）は第１パターンＰ１のホルダ１を水切りかご５０の内側に取り付けた態様を示す。
【図７】（Ａ）〜（Ｄ）は実施形態２のホルダ２を説明する図であり、（Ａ）は正面図、（Ｂ）は平面図、（Ｃ）は底面図、（Ｄ）は（Ａ）中のＤ−Ｄ線矢視図である。
【図８】（Ａ）〜（Ｄ）は実施形態３のホルダ３を説明する図であり、（Ａ）は斜視図、（Ｂ）は（Ａ）中のＥ−Ｅ線矢視方向から見た斜視図、（Ｃ）は（Ａ）中のＥ−Ｅ線矢視図、（Ｄ）は排水部７６を説明する断面図である。
【図９】（Ａ），（Ｂ）は実施形態４のホルダ４を説明する図であり、（Ａ）は斜視図、（Ｂ）は（Ａ）中のＦ−Ｆ線矢視図である。
【図１０】（Ａ），（Ｂ）は実施形態５のホルダ５を説明する図であり、（Ａ）は斜視図、（Ｂ）は（Ａ）中のＧ−Ｇ線矢視図である。
【発明を実施するための形態】
【００１８】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図６を参照して本発明を適用した実施形態１に係るホルダ１について説明する。
【００１９】
ここで、図１は、ホルダ１を前側左斜め上方から見た斜視図である。また、図２（Ａ）〜（Ｄ）はホルダ１を説明する図であり、（Ａ）は正面図、（Ｂ）は平面図、（Ｃ）は底面図、（Ｄ）は（Ａ）中のＡ−Ａ線矢視図である。また、図３（Ａ）〜（Ｄ）は上ホルダ部１０を説明する図であり、（Ａ）は正面図、（Ｂ）は平面図、（Ｃ）は底面図、（Ｄ）は（Ａ）中のＢ−Ｂ線矢視図である。また、図４（Ａ）〜（Ｄ）は下ホルダ部２０を説明する図であり、（Ａ）は正面図、（Ｂ）は平面図、（Ｃ）は右側面図、（Ｄ）は（Ａ）中のＣ−Ｃ線矢視図である。また、図５は、ホルダ１の使用例を説明する斜視図である。
【００２０】
なお、以下の説明では、図１及び図５中の左上に矢印で示す上下前後左右が、同図中に示すホルダ１、水切りかご５０、水受けトレイ６０の上下前後左右に対応するものとして説明する。また、以下の説明で、食器類とは、ナイフ、フォーク、スプーン、箸等の比較的細長いものを指すものとする。また、以下に例示するホルダ１は、これらの食器類の水を切るために好適な構成のものであるが、ホルダ１としてはこれに限定されるものではない。例えば、箸置き等の小物の水を切るべく、浅い（高さ寸法が短い）プレート状のものであってもよい。
ホルダ１は、図１，図２に示すように、上ホルダ部１０と、その下端部に嵌合された着脱可能な下ホルダ部２０とを備えている。
【００２１】
上ホルダ部１０は、図３に示すように、筒状の上側部Ｓ１を有している。上側部Ｓ１は、上前側部（上第１側部）１１、上後側部（上第２側部）１２、上左側部（上第３側部）１３、及び上右側部（上第４側部）１４によって、左右方向に長い角丸の四角筒状に形成されている。上側部Ｓ１の下端には、嵌合部１５が下方に向かって延設されている。
【００２２】
嵌合部１５は、前後左右の寸法が、上側部Ｓ１に対してその板厚分だけ小さくなっている。嵌合部１５における左側面及び右側面には、前後方向に長い突起状の係合凸部１５ａが突設されている。この係合凸部１５ａは、嵌合部１５を後述する下ホルダ部２０の上端部の内側に嵌合させた際に、下ホルダ部２０側の係合凹部２７（図４（Ｄ）参照）に係合するようになっている。
【００２３】
嵌合部１５の下端は、水切り底部１６によって閉鎖されている。水切り底部１６は、上前側部１１側に対して上後側部１２側が低くなるように傾斜していて、後端近傍には、左右方向に長い水切り孔１６ａが左右方向に沿って４個穿設されている。洗浄後に上ホルダ部１０に収納された食器類は、水切り底部１６によって支持され、これらの食器類から落下した水滴は、水切り底部１６で受け止められ、水切り孔１６ａを通って、下ホルダ部２０に落下するようになっている。
【００２４】
上述の上側部Ｓ１及び嵌合部１５の左右方向の中心Ｃｎには、仕切り板１７が設けてある。仕切り板１７は、上側部Ｓ１及び嵌合部１５の内側の空間を左右２つに分割している。この仕切り板１７は、食器類が傾斜し過ぎたり、比較的短いものが水切り底部１６に横たわってしまったりすることを防止する。
上側部Ｓ１の上端は、上方に向かって開口された着脱口１０ａとなっていて、食器類はこの着脱口１０ａから装入され、また取り出されるようになっている。
【００２５】
上側部Ｓ１のうちの上前側部１１の上側には、第１係合部１８としてのフック１８ａ，１８ｂがそれぞれ２個ずつ設けられている。フック１８ａは、上前側部１１の上端の、中心Ｃｎを基準として左右に振り分ける位置のそれぞれに突設されている。一方、フック１８ｂは、フック１８ａよりも下側でかつ外側にそれぞれ突設されている。第１係合部１８としてのこれらのフック１８ａ，１８ｂは、図５に示す水切りかご５０のワイヤａ，ｂ等に対して、上方から係脱可能である。
以上説明した上ホルダ部１０は、例えば、その全体がプラスチック（合成樹脂）によって一体成形されている。
【００２６】
下ホルダ部２０は、図４に示すように、筒状の下側部Ｓ２を有している。下側部Ｓ２は、下前側部（下第１側部）２１、下後側部（下第２側部）２２、下左側部（下第３側部）２３、及び下右側部（下第４側部）２４によって、左右方向に長い角丸の四角筒状に形成されている。下側部Ｓ２の上端は、上方に向かって開口された開口部２０ａとなっていて、この開口部２０ａを介して、上側部Ｓ１の嵌合部１５が着脱される。
【００２７】
下左側部２３及び下右側部２４の内面における上端部近傍には、前後方向に長い溝状の係合凹部２７が形成され、また、これら係合凹部２７の上側には、ガイド溝２７ａが形成されている。係合凹部２７には、下ホルダ部２０に上ホルダ部１０の嵌合部１５が嵌合させる際に、上ホルダ部１０側の係合凸部１５ａが係合される。これにより、上ホルダ部１０に対する下ホルダ部２０の脱落が防止される。なお、本実施形態では、ホルダ１に入れられる洗浄後の食器類は、その重量が上ホルダ部１０の水切り底部１６にかかるため、下ホルダ部２０側の次に説明する水受け底部２５にかかることよって下ホルダ部２０が脱落するようなことはない。
【００２８】
下ホルダ部２０の下端近傍には、水受け底部２５が設けられている。水受け底部２５は板状に形成されていて、水切り孔１６ａからの水を表面の水受け面２５ａで受け止める。水受け面２５ａは、下後側部２２側に対して下前側部２１側が低く、かつ左端側及び右端側に対して中央部が低くなるように傾斜している。下前側部２１における水受け底部２５に対応する位置には、左右方向に長い排水口２１ａが形成されている。
【００２９】
排水口２１ａからは排水部２６が前方斜め下方に向けて突設されている。排水部２６の表面の排水面２６ａは、上述の水受け底部２５の水受け面２５ａを前側に延長して連続するように形成されている。つまり、排水面２６ａは、水受け面２５ａに連続する基端側に対して前端側が低く、かつ左端側及び右端側に対して中央部が低くなるように傾斜している。排水面２６ａの左端及び右端には、ほぼ前後方向に延びる土手部２６ｂが形成されている。なお、排水口２１ａの左右方向に中央には、補強リブ２１ｂが設けてある。
以上説明した下ホルダ部２０は、例えば、その全体がプラスチック（合成樹脂）によって一体成形されている。
【００３０】
以上説明したように、ホルダ１は、上ホルダ部１０の下端部に下ホルダ部２０の上端部を嵌合させることにより全体が構成されている。ホルダ１は、この嵌合時の、上ホルダ部１０に対する下ホルダ部２０の向きの違いによって、第１パターンＰ１と第２パターンＰ２とを構成することができる。
【００３１】
ここで、図６（Ａ）〜（Ｄ）はホルダ１の使用態様を模式的に説明する図である。このうち、（Ａ）は第１パターンＰ１のホルダ１を水切りかご５０の外側に取り付けた態様を示し、（Ｂ）は第２パターンＰ２のホルダ１を水切りかご５０の外側に取り付けた態様を示し、（Ｃ）は第２パターンＰ２のホルダ１を水切りかご５０の内側に取り付けた態様を示し、（Ｄ）は第１パターンＰ１のホルダ１を水切りかご５０の内側に取り付けた態様を示す。
【００３２】
図１，図２，図５、及び図６（Ａ），（Ｄ）に示すホルダ１は、第１パターンＰ１のホルダ１である。これに対し、図６（Ｂ），（Ｃ）に示すホルダ１は、第２パターンＰ２のホルダ１である。
【００３３】
すなわち、第１パターンＰ１とは、上ホルダ部１０に対する下ホルダ部２０の前後方向の向きについて、上ホルダ部１０の上前側部１１及び上後側部１２のそれぞれに、下ホルダ部２０の下前側部２１及び下後側部２２を合わせたパターンである。一方、第２パターンとは、第１パターンＰ１に対して、下ホルダ部２０の前後の向きを逆にしたものである。つまり、第２パターンとは、上ホルダ部１０の上前側部１１及び上後側部１２のそれぞれに、下ホルダ部２０の下後側部２２及び下前側部２１を合わせたパターンである。
【００３４】
第１パターンＰ１のホルダ１においては、図６（Ａ），（Ｄ）に示すように、上ホルダ部１０側のフック１８ａ，１８ｂと、下ホルダ部２０側の排水部２６とが同じ側に配置されて同じ方向を向いている。一方、第２パターンＰ２のホルダ１においては、図６（Ｂ），（Ｃ）に示すように、フック１８ａ，１８ｂと排水部２６とは、異なる側に配置されて反対側を向いている。
【００３５】
上述のホルダ１は、図１に示すように、第１パターンＰ１において、上ホルダ部１０の上前側部１１と下ホルダ部２０の下前側部２１とによって、全体としての前側部Ｍを構成している。また、上ホルダ部１０の上後側部１２と下ホルダ部２０の下後側部２２とによって全体として上述の前側部Ｍに対向する後側部Ｎを構成している。また、上側部Ｓ１と下側部Ｓ２とによって全体としての側部Ｓａを構成している。さらに、この側部Ｓａと水受け底部２５とによって、ホルダ本体Ｈを構成している。
図５，図６を参照して、ホルダ１の使用態様について説明する。
【００３６】
図５に示すように、ホルダ１は、例えば、多数のワイヤで形成された水切りかご５０の後の側部に引っ掛けて使用される。水切りかご５０は、前後左右の４つの側部と底部とを有しており、後の側部には、左右方向を向いたワイヤａ，ｂ，ｃ，ｄが上から順に配設されている。また、底部の後端には、左右方向を向いたワイヤｅが配設されている。この水切りかご５０の下方には、水受けトレイ６０が配設されている。水受けトレイ６０は、前後方向及び左右方向の寸法が、水切りかご５０とほぼ同じに形成されている。これにより、水受けトレイ６０は、４つの側部で囲まれた水切りかご５０の内側の領域からの水を受け止めることができる。水受けトレイ６０の表面の水受け面６０ａは、複数の傾斜面によって構成されており、受け止めた水を排水口６１に向かって流すようになっている。
図５，図６（Ａ）は、第１パターンＰ１のホルダ１を、上側のフック１８ａをワイヤａに引っ掛けることで、水切りかご５０の外側に配置した状態を示す。
また、図６（Ｂ）は、第２パターンＰ２のホルダ１を、上側のフック１８ａをワイヤａに引っ掛けることで、水切りかご５０の外側に配置した状態を示す。
また、図６（Ｃ）は、第２パターンＰ２のホルダ１を、下側のフック１８ｂをワイヤａに引っ掛けることで、水切りかご５０の内側に配置した状態を示す。
また、図６（Ｄ）は、第１パターンＰ１のホルダ１を、下側のフック１８ｂをワイヤａに引っ掛けることで、水切りかご５０の内側に配置した状態を示す。
【００３７】
なお、図６（Ｃ），（Ｄ）において、ワイヤａに対して、上側のフック１８ａではなく、下側のフック１８ｂを引っ掛けている。これは、ホルダ１を水切りかご５０の内側に配置する際に、ホルダ１の下端が、水切りかご５０の底部の一部を構成するワイヤｅに干渉することを防止するためである。したがって、このようなワイヤｅがない場合には、上側のフック１８ａを使用することができる。
【００３８】
洗浄後にホルダ１に入れられた食器類から落ちた水は、水切り底部１６の水切り孔１６ａを通って、水受け底部２５の水受け面２５ａに落下し、排水部２６の排水面２６ａを流れてホルダ１の外部に排出される。この点については、ホルダ１が第１パターンＰ１か第２パターンＰ２かにかかわらず、また、ホルダ１が水切りかご５０の外側に配置されようが内側に配置されようが同様である。
【００３９】
ここで、図６（Ａ）に示すように、第１パターンＰ１のホルダ１を水切りかご５０の外側に配置した場合には、ホルダ１の排水部２６が水切りかご５０の側部（後側部）の一部を貫通して水切りかご５０の内側に進入する。このため、水切りかご５０の内側の容量を増やすべく、ホルダ１を外側に配置した場合であっても、ホルダ１から排水部２６を介して排出される水を、水受けトレイ６０の水受け面６０ａに排出することができる。
【００４０】
また、図６（Ｂ）に示すように、第２パターンＰ１のホルダ１を水切りかご５０の外側に配置した場合には、ホルダ１の排水部２６が水切りかご５０とは反対側を向く。このため、ホルダ１から排水部２６を介して排出される水を、例えば、流し台ＳのシンクＳｎに直接排出することができる。
【００４１】
また、図６（Ｃ）に示すように、第２パターンＰ１のホルダ１を水切りかご５０の内側に配置した場合には、ホルダ１から排水部２６を介して排出される水を、水受けトレイ６０の水受け面６０ａに排出することができる。
【００４２】
また、図６（Ｄ）に示すように、第１パターンＰ１のホルダ１を水切りかご５０の内側に配置した場合には、ホルダ１から排水部２６を介して排出される水を、例えば、流し台ＳのシンクＳｎに直接排出することができる。
＜実施形態２＞
図７を参照して本発明を適用した実施形態２に係るホルダ２について説明する。
ここで、図７（Ａ）はホルダ２の正面図、（Ｂ）は平面図、（Ｃ）は底面図、（Ｄ）は（Ａ）中のＤ−Ｄ線矢視図である。
【００４３】
上述の実施形態１のホルダ１が、上ホルダ部１０と下ホルダ部２０とを組み合わせて構成されていたのに対し、本実施形態２のホルダ２は、その全体が、例えばプラスチック（合成樹脂）によって一体成形されている。
【００４４】
図７に示すように、ホルダ２は、ホルダ本体３０として、左右方向に長い角丸の四角筒状の側部Ｓｂと、水受け底部４５とを有している。また、側部Ｓｂは、前側部（第１側部）３１、これに対向する後側部（第２側部）３２、左側部（第３側部）３３、及び右側部（第４側部）３４によって構成されている。
【００４５】
ここで、着脱口３０ａ、水受け底部４５、その表面の水受け面４５ａ、排水口４１ａ、補強リブ４１ｂ、排水部４６、その表面の排出面４６ａ、及び土手部４６ｂについては、この順に、実施形態１のホルダ１の着脱口１０ａ、水受け底部２５、その表面の水受け面２５ａ、排水口２１ａ、補強リブ２１ｂ、排水部２６、その表面の排水面２６ａ、及び土手部４６ｂと同様であるので説明は省略する。また、第１係合部３８としてのフック３８ａ，３８ｂについても、実施形態１のホルダ１の第１係合部１８としてのフック１８ａ，１８ｂと同様であるので説明は省略する。
本実施形態２のホルダ２は、実施形態１のホルダ１とは異なり、第２係合部３９としてのフック３９ａ，３９ｂを有している。
【００４６】
ホルダ２は、フック３８ａを水切りかご５０のワイヤａに引っ掛けてホルダ本体３０を水切りかご５０の外側に配置することにより、図６（Ａ）のホルダ１と同様の作用、効果を奏することができる。
【００４７】
また、ホルダ２は、フック３９ａを水切りかご５０のワイヤａに引っ掛けてホルダ本体３０を水切りかご５０の外側に配置することにより、図６（Ｂ）のホルダ１と同様の作用、効果を奏することができる。
【００４８】
また、ホルダ２は、フック３９ｂを水切りかご５０のワイヤａに引っ掛けてホルダ本体３０を水切りかご５０の内側に配置することにより、図６（Ｃ）のホルダ１と同様の作用、効果を奏することができる。
【００４９】
また、ホルダ２は、フック３８ｂを水切りかご５０のワイヤａに引っ掛けてホルダ本体３０を水切りかご５０の内側に配置することにより、図６（Ｄ）のホルダ１と同様の作用、効果を奏することができる。
【００５０】
以上のように、本実施形態２のホルダ２は、前側部３１に設けた第１係合部３８としてのフック３８ａ，３８ｂと同様な第２係合部３９としてのフック３９ａ，３９ｂを、後側部３２にも設けることにより、全体が一体成形の簡単な構成でありながら、実施形態１のホルダ１とほぼ同様の作用、効果をあげることができる。
【００５１】
なお、本実施形態において、第２係合部３９としてのフック３９ａ，３９ｂを省略することも可能である。この場合には、図６（Ａ），（Ｄ）に示すホルダ１と同様に使用することができる。
＜実施形態３＞
図８を参照して本発明を適用した実施形態３に係るホルダ３について説明する。
【００５２】
ここで、図８（Ａ）はホルダ３の斜視図、（Ｂ）は（Ａ）中のＥ−Ｅ線矢視方向から見た斜視図、（Ｃ）は（Ａ）中のＥ−Ｅ線矢視図、（Ｄ）は排水部７６を説明する断面図である。
【００５３】
本実施形態３のホルダ３は、上ホルダ部７１と下ホルダ部７２とによって構成されている。下ホルダ部７２の水受け底部７５は、右端側に対して左端側が低く、また後端側に対して前端側が低くなるように傾斜していて、左端近傍に排水部７６が設けられている。
水受け底部７５の水受け面７５ａに落下した水は、水受け面７５ａに沿って左端側に移動し、排水部７６から排出される。
＜実施形態４＞
図９を参照して本発明を適用した実施形態４に係るホルダ４について説明する。
ここで、図９（Ａ）はホルダ４の斜視図、（Ｂ）は（Ａ）中のＦ−Ｆ線矢視図である。
【００５４】
本実施形態４のホルダ４は、上ホルダ部８１と下ホルダ部８２とによって構成されている。下ホルダ部８２の水受け底部８５は、右端側に対して左端側が低くなるように傾斜していて、左端近傍に排水部８６が設けられている。
水受け底部８５の水受け面８５ａに落下した水は、水受け面８５ａに沿って左端側に移動し、排水部８６から排出される。
【００５５】
ホルダ４は、下ホルダ部８２の下端部が、水受け底部８５に沿ってカットされている。このため、例えば、ホルダ４を水切りかご５０の内側に配置する際に、下ホルダ部８２の下端が、水切りかご５０の底部に干渉しにくい。
＜実施形態５＞
図１０を参照して本発明を適用した実施形態５に係るホルダ５について説明する。
ここで、図１０（Ａ）はホルダ５の斜視図、（Ｂ）は（Ａ）中のＧ−Ｇ線矢視図である。
【００５６】
本実施形態５のホルダ５は、上ホルダ部９１と下ホルダ部９２とによって構成されている。下ホルダ部９２の水受け底部９５は、左端側及び右端側に対して中央部が低くなるように傾斜していて、中央部近傍に排水部９６が設けられている。
水受け底部９５の水受け面９５ａに落下した水は、水受け面９５ａに沿って中央部に集まり、排水部９６から排出される。
【００５７】
ホルダ５は、下ホルダ部９２の下端部が、水受け底部９５に沿ってカットされている。このため、例えば、ホルダ５を水切りかご５０の内側に配置する際に、下ホルダ部９２の下端が、水切りかご５０の底部に干渉しにくい。
【００５８】
以上説明した実施形態３，４，５のホルダ３，４，５によれば、それぞれの排水部７６，８６，９６の左右方向の幅が、実施形態１，２の排水部２６，４６の幅よりも狭く形成されているため、例えば、ワイヤで構成された水切りかごの、縦方向に配置した複数のワイヤの間を貫通させる際に有利である。
【００５９】
以上の実施形態においては、第１係合部１８，３８としてのフック１８ａ，１８ｂ，３８ａ，３８ｂ、第２係合部３９としてのフック３９ａ，３９ｂが、左右方向（横方向）のワイヤａ，ｂ等に対して、上方向から引っかけられる例を説明したが、これに代えて、例えば、これらのフックを９０度回転させて、縦方向のワイヤに横方向から係合する構成としてもよい。
【００６０】
以上の実施形態においては、ホルダ１〜５は、側部が板状である場合について説明したが、これに代えて、例えば、横方向の複数のワイヤと縦方向の複数のワイヤを組み合わせたり、接続したりして構成したものであってもよい。
【符号の説明】
【００６１】
１      実施形態１のホルダ
２      実施形態２のホルダ
３      実施形態３のホルダ
４      実施形態４のホルダ
５      実施形態５のホルダ
１０    上ホルダ部
１０ａ，３０ａ  着脱口
１１    上前側部（上第１側部）
１２    上後側部（上第２側部）
１６    水切り底部
１６ａ  水切り孔
１８，３８  第１係合部
１８ａ，１８ｂ，３８ａ，３８ｂ  フック
２０    下ホルダ部
２１    下前側部（下第１側部）
２２    下後側部（下第２側部）
２５，４５，７５，８５，９５  水受け底部
２６，４６，７６，８６，９６  排水部
３０，Ｈ  ホルダ本体
３１    前側部（第１側部）
３２    後側部（第２側部）
３９    第２係合部
３９ａ，３９ｂ  フック
５０    水切りかご
Ｍ      前側部
Ｎ      後側部
Ｐ１    第１パターン
Ｐ２    第２パターン
Ｓａ，Ｓｂ  側部
Ｓ１    上側部
Ｓ２    下側部
Ｓａ    側部
【図１】
0006027595.tif 000002
【図２】
0006027595.tif 000003
【図３】
0006027595.tif 000004
【図４】
0006027595.tif 000005
【図５】
0006027595.tif 000006
【図６】
0006027595.tif 000007
【図７】
0006027595.tif 000008
【図８】
0006027595.tif 000009
【図９】
0006027595.tif 000010
【図１０】
0006027595.tif 000011